(57)【特許請求の範囲】
【請求項１】
ユーザ装置（ＵＥ）が属するセルの隣接セルの共通高度専用チャネル関連グラントチャネル（Ｅ−ＲＧＣＨ）を介して前記ＵＥのサービング・グラントを制御するための方法であって、前記ＵＥはセル前方アクセスチャネル（ＣＥＬＬ−ＦＡＣＨ）状態またはアイドル状態にあり、前記方法は、
前記ＵＥが属するセルの隣接セルの前記共通Ｅ−ＲＧＣＨを監視することによって、前記ＵＥの前記サービング・グラントを調節するために制御指令を取得するステップと、
前記ＵＥが少なくとも１つの制御条件を満たすかどうかを判定するステップと、
前記ＵＥが前記少なくとも１つの制御条件を満たすときには、前記ＵＥが属するセルの隣接セルの前記共通Ｅ−ＲＧＣＨを監視することによって取得した前記制御指令に基づいて前記ＵＥの前記サービング・グラントを調節するステップと、
を含み、
前記少なくとも１つの制御条件は前記ＵＥのサービング・グラント閾値であり、前記ＵＥが前記少なくとも１つの制御条件を満たすかどうかを判定するステップは、前記ＵＥの前記サービング・グラントが前記サービング・グラント閾値より高いかどうかを判定するステップであって、前記ＵＥの前記サービング・グラントが前記サービング・グラント閾値より高いときには、前記ＵＥが前記少なくとも１つの制御条件を満たすと判定するステップを含む、方法。
【請求項２】
前記ＵＥのサービング・グラントを調節するステップは、前記ＵＥの前記サービング・グラントを低下させるステップを含む、請求項１に記載の方法。
【請求項３】
前記ＵＥが前記少なくとも１つの制御条件のうち１つまたは複数の制御条件を満たさないときには、取得した前記制御指令を無視するように前記ＵＥを制御するステップをさらに含む、請求項１または２に記載の方法。
【請求項４】
ユーザ装置（ＵＥ）が属するセルの隣接セルの共通高度専用チャネル関連グラントチャネル（Ｅ−ＲＧＣＨ）を介して前記ＵＥのサービング・グラントを制御するための装置であって、前記ＵＥはセル前方アクセスチャネル（ＣＥＬＬ−ＦＡＣＨ）状態またはアイドル状態にあり、前記装置は、
前記ＵＥが属するセルの隣接セルの前記共通Ｅ−ＲＧＣＨを監視することによって、前記ＵＥの前記サービング・グラントを調節するために制御指令を取得するように構成された取得ユニットと、
前記ＵＥが少なくとも１つの制御条件を満たすかどうかを判定するように構成された判定ユニットと、
前記ＵＥが前記少なくとも１つの制御条件を満たすとき、取得した前記制御指令に基づいて前記ＵＥの前記サービング・グラントを調節するように構成された制御ユニットと、
を備え、
前記ＵＥが少なくとも１つの制御条件を満たすかどうかを判定するように構成された判定ユニットは、
前記ＵＥの前記サービング・グラントがサービング・グラント閾値より高いかどうかを判定するように構成され、前記ＵＥの前記サービング・グラントが前記サービング・グラント閾値より高いとき、前記判定ユニットが、前記ＵＥが前記少なくとも１つの制御条件を満たすと判定する、装置。
【請求項５】
前記制御ユニットが、前記ＵＥの前記サービング・グラントを低下させることによって前記ＵＥの前記サービング・グラントを調節する、請求項４に記載の装置。
【請求項６】
前記制御ユニットはさらに、前記ＵＥが前記少なくとも１つの制御条件のうち１つまたは複数の制御条件を満たさないときには、取得した前記制御指令を無視するように前記ＵＥを制御するように構成された、請求項４または５に記載の装置。
【請求項７】
前記装置は前記ＵＥ内に設置された、請求項４から６の何れか１項に記載の装置。
【請求項８】
請求項７に記載のユーザ装置および前記ＵＥの動作状態を制御する基地局を備えた、通信システム。
【請求項９】
プログラムを記録したコンピュータ可読記録媒体であって、前記プログラムは請求項１から３の何れか１項に記載の方法をコンピュータに実行させる、コンピュータ可読記録媒体。
【発明の詳細な説明】
【技術分野】
【０００１】
本願は、発明の名称を「隣接セルのユーザ端末のサービング・グラントを制御するための方法および装置」とした２０１１年１２月３０日に中国特許庁に出願した中国特許出願第２０１１１０４５６３４５．４号に対する優先権を主張し、発明の名称を「隣接セルのユーザ端末のサービング・グラントを制御するための方法および装置」とした２０１２年３月２７日に中国特許庁に出願した中国特許出願第２０１２１００８３５９２．９号に対する優先権を主張し、それらの全体を引用により本明細書に取り込む。
【０００２】
本発明の諸実施形態は通信の分野に関し、特に、隣接セルのユーザ端末のサービング・グラントを制御するための方法、装置、ユーザ端末、およびシステムに関する。
【背景技術】
【０００３】
ＣＥＬＬ−ＦＡＣＨ（Ｃｅｌｌ−Ｆｏｒｗａｒｄ  ａｃｃｅｓｓ  ｃｈａｎｎｅｌ：セル前方アクセスチャネル）拡張アップリンク機能が３ＧＰＰ（３ｒｄ  Ｇｅｎｅｒａｔｉｏｎ  Ｐａｒｔｎｅｒｓｈｉｐ  Ｐｒｏｊｅｃｔ；第三世代パートナシップ・プロジェクト）のＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多重アクセス）Ｒ８バージョンに導入されている。即ち、ＣＥＬＬ−ＦＡＣＨ状態およびアイドル（ｉｄｌｅ）状態のＵＥ（Ｕｓｅｒ  Ｅｑｕｉｐｍｅｎｔ；ユーザ装置）は、拡張ランダム・アクセスを介してＥ−ＤＣＨ（Ｅｎｈａｎｃｅｄ  Ｄｅｄｉｃａｔｅｄ  Ｃｈａｎｎｅｌ；拡張専用チャネル）リソースを取得してＲ９９バージョンのＲＡＣＨ（Ｒａｎｄｏｍ  Ａｃｃｅｓｓ  Ｃｈａｎｎｅｌ；ランダム・アクセス・チャネル）を置き換えてアップリンク送信を実装し、ＵＥのアップリンク送信の時間遅延を減らし、ＵＥのアップリンク送信率を改善することができる。
【０００４】
ソフト・ハンドオーバ技術では、ＵＥが複数のセルと無線リンクを同時に確立するようにすることができ、１組のこれらの無線リンクは無線リンク・セットと呼ばれる。ＵＥが送信したアップリンク・データが無線リンク・セットの複数のセルにより受信され結合され、それによりハンドオーバ領域内のＵＥのアップリンク・スループットが保証される。同時に、無線リンク・セットの複数のセルがＵＥのアップリンク送信電力とサービング・グラントを制御して、隣接セル干渉を制御する目的を達成することができる。
【発明の概要】
【発明が解決しようとする課題】
【０００５】
ソフト・ハンドオーバ技術は、ＣＥＬＬ−ＦＡＣＨ状態またはアイドル状態ではサポートされず、したがって、ＣＥＬＬ−ＦＡＣＨ状態またはアイドル状態のＵＥのアップリンク送信により生ずる隣接セル干渉の制御は研究を要する課題である。Ｒ８バージョンのＣＥＬＬ−ＦＡＣＨ拡張アップリンク機能では、隣接セル干渉制御機構は導入されておらず、Ｒ１１バージョンでは、ＣＥＬＬ−ＦＡＣＨ状態は拡張され続けており、干渉制御の導入が含まれている。したがって、ＣＥＬＬ−ＦＡＣＨ状態またはアイドル状態のＵＥのアップリンク送信における隣接セル干渉を制御するための方法と装置が必要である。
【課題を解決するための手段】
【０００６】
本発明は以上の課題に鑑みてなされたものであり、本発明の目的は、隣接セルのユーザ端末のサービング・グラントを制御するための方法および装置を提供することにある。当該方法および装置は、ＣＥＬＬ−ＦＡＣＨ状態またはアイドル状態のＵＥのアップリンク送信における隣接セル干渉を制御することができる。
【０００７】
１態様では、隣接セルのユーザ端末のサービング・グラントを制御するための方法を提供する。当該方法は、各セルの共通Ｅ−ＲＧＣＨチャネルを介して各隣接セルのＣＥＬＬ−ＦＡＣＨ状態またはアイドル状態のＵＥを制御するために使用され、ＣＥＬＬ−ＦＡＣＨ状態またはアイドル状態のＵＥは、当該ＵＥが属するセルの隣接セルの共通Ｅ−ＲＧＣＨチャネルを監視することにより制御指令を取得し、それにより、当該ＵＥのサービング・グラントを調節する。当該方法は、少なくとも１つの制御条件をさらに設定するステップと、当該ＵＥが当該少なくとも１つの制御条件を満たすかどうかを判定するステップと、当該ＵＥが当該少なくとも１つの制御条件を満たすときには、取得した制御指令に基づいて当該ＵＥのサービング・グラントを調節するステップとを含む。
【０００８】
別の態様では、隣接セルのユーザ端末のサービング・グラントを制御するための装置を提供する。当該装置は、各セルの共通Ｅ−ＲＧＣＨチャネルを介して各隣接セルのＣＥＬＬ−ＦＡＣＨ状態またはアイドル状態のＵＥを制御するために使用され、ＣＥＬＬ−ＦＡＣＨ状態またはアイドル状態のＵＥは、当該ＵＥが属するセルの隣接セルの共通Ｅ−ＲＧＣＨチャネルを監視することによって制御指令を取得し、それにより、当該ＵＥのサービング・グラントを調節する。当該装置は、少なくとも１つの制御条件をさらに設定するように構成された設定ユニットと、当該ＵＥが当該少なくとも１つの制御条件を満たすかどうかを判定するように構成された判定ユニットと、当該ＵＥが当該少なくとも１つの制御条件を満たすときには、取得した制御指令に基づいて当該ＵＥのサービング・グラントを調節するように構成された制御ユニットとを備える。
【０００９】
本発明の諸実施形態に従って隣接セルのユーザ端末のサービング・グラントを制御するための方法と装置により、干渉制御を隣接セルのＣＥＬＬ−ＦＡＣＨ状態またはアイドル状態のＵＥで実施することができ、同時に、当該ＵＥのスループットが過度に低下することを防ぐことができ、それにより通信性能が向上する。
【００１０】
本発明の諸実施形態の技術的解決策をより明確に説明するために、以下では当該諸実施形態の説明に必要な添付図面を簡単に説明する。明らかに、以下の説明における添付図面は本発明の諸実施形態の一部を示すにすぎず、当業者は創造的作業なしにこれらの添付図面から他の図面を依然として導出することができる。
【図面の簡単な説明】
【００１１】
【図１】本発明の１実施形態に従う隣接セルのユーザ端末のサービング・グラントを制御するための方法を示す略流れ図である。
【図２】本発明の１実施形態に従う隣接セルのユーザ端末のサービング・グラントを制御するための装置を示す略ブロック図である。
【発明を実施するための形態】
【００１２】
以下で、本発明の諸実施形態における添付図面を参照して本発明の諸実施形態の技術的解決策を明確かつ十分に説明する。明らかに、説明する諸実施形態は本発明の諸実施形態の全部ではなく一部にすぎない。創造的作業なしに本発明の諸実施形態に基づいて当業者により取得される他の全ての実施形態は本発明の保護範囲に入るものとする。
【００１３】
アップリンク送信における隣接セルのＣＥＬＬ−ＦＡＣＨ状態またはアイドル状態のＵＥの干渉を制御するために、共通Ｅ−ＲＧＣＨ（Ｅｎｈａｎｃｅｄ  Ｄｅｄｉｃａｔｅｄ  Ｃｈａｎｎｅｌ  Ｒｅｌａｔｉｖｅ  Ｇｒａｎｔ  Ｃｈａｎｎｅｌ；高度専用チャネル関連グラントチャネル）チャネルを各セルで構成してもよい。当該チャネルは、隣接セルのＣＥＬＬ−ＦＡＣＨ状態またはアイドル状態のＵＥが特定の条件を満たすときを監視するために使用される。隣接セル干渉が高いことを各セルが発見した場合には、「低下」（ｄｏｗｎ）指令を、構成された共通Ｅ−ＲＧＣＨチャネルを介して送信して、サービング・グラント（ＳＧ；Ｓｅｒｖｉｎｇ  Ｇｒａｎｔ）を低下させるように隣接セルのＣＥＬＬ−ＦＡＣＨ状態またはアイドル状態のＵＥを制御し、それによりＵＥが生成した隣接セル干渉を減らしてもよい。
【００１４】
ＵＥが隣接セルの共通Ｅ−ＲＧＣＨチャネルを監視するための条件が、現在のセルと隣接セルの間の経路損失差分が一定の閾値より小さいとＵＥが判定すること、および、隣接セルのＣＰＩＣＨ（Ｃｏｍｍｏｎ  Ｐｉｌｏｔ  Ｃｈａｎｎｅｌ；共通パイロット・チャネル）チャネルの測定結果が測定事象（Ｅｖｅｎｔ）を報告するための閾値に到達したとＵＥが判定したことを含んでもよい。
【００１５】
具体的な制御プロセスでは、ＲＮＣ（Ｒａｄｉｏ  Ｎｅｔｗｏｒｋ  Ｃｏｎｔｒｏｌｌｅｒ；無線ネットワーク・コントローラ）が先ず各隣接セルの一次拡散符号と共通Ｅ−ＲＧＣＨチャネルのチャネル化符号をブロードキャストして、ＵＥが共通Ｅ−ＲＧＣＨチャネルを監視できるようにする。共通Ｅ−ＲＧＣＨチャネルは、隣接セルのＵＥに制御指令を送信するために使用される。その後、隣接セル干渉が閾値を超えたことを特定のセルが発見したときには、制御指令、例えば「低下」指令が共通Ｅ−ＲＧＣＨチャネルで送信され、隣接セルの共通Ｅ−ＲＧＣＨチャネルを監視するための条件をＵＥが満たすときには、ＵＥが当該隣接セルの共通Ｅ−ＲＧＣＨチャネルを監視して当該ＵＥのサービング・グラントを低下させるための「低下」指令を取得する。
【００１６】
その時点で、隣接セル干渉を制御するための上述の方法では、特定のセルが共通Ｅ−ＲＧＣＨチャネルを介して隣接セルのＣＥＬＬ−ＦＡＣＨ状態またはアイドル状態のＵＥを制御してＳＧを低下させて干渉を減らす必要があるときは、複数の隣接セル内にあり当該セルの共通Ｅ−ＲＧＣＨを監視するための条件を満たす全てのＵＥは共通Ｅ−ＲＧＣＨの「低下」指令に従ってＳＧを低下させ、それにより隣接セルのＣＥＬＬ−ＦＡＣＨ状態またはアイドル状態のＵＥのスループットは大幅に低下する。しかし、実際には、ＵＥの一部のＳＧのみを低下させることによって、干渉制御の目的を達成することができる。
【００１７】
別の態様では、ＣＥＬＬ−ＦＡＣＨ状態またはアイドル状態の特定のＵＥが複数の隣接セルの共通Ｅ−ＲＧＣＨチャネルを監視するための条件を満たしてもよく、任意の隣接セルが共通Ｅ−ＲＧＣＨを介して干渉を制御する必要があるときには、ＣＥＬＬ−ＦＡＣＨ状態またはアイドル状態のＵＥを制御して当該ＵＥのＳＧを低下させ、それにより当該ＵＥのスループットの過度な減少を生じさせる。
【００１８】
上記の課題に基づいて、本発明の１実施形態では隣接セルのユーザ端末のサービング・グラントを制御するための方法を提供する。当該方法は、各セルの共通Ｅ−ＲＧＣＨチャネルを介して各隣接セルのＣＥＬＬ−ＦＡＣＨ状態またはアイドル状態のＵＥを制御するために使用される。ＣＥＬＬ−ＦＡＣＨ状態またはアイドル状態のＵＥは、当該ＵＥが属するセルの隣接セルの共通Ｅ−ＲＧＣＨチャネルを監視することによって制御指令を取得し、それにより、当該ＵＥのサービング・グラントを調節する。当該方法は、少なくとも１つの制御条件をさらに設定するステップと、当該ＵＥが当該少なくとも１つの制御条件を満たすかどうかを判定するステップと、当該ＵＥが当該少なくとも１つの制御条件を満たすときには、取得した制御指令に基づいて当該ＵＥのサービング・グラントを調節するステップとを含む。
【００１９】
即ち、本発明の当該実施形態では、ＵＥが隣接セルの共通Ｅ−ＲＧＣＨチャネルを監視するための条件を監視することに加えて、１つまたは複数の制御条件がさらに設定され、ＵＥが当該１つまたは複数の制御条件を満たしたと判定された場合にのみ、取得した制御指令に基づいてＵＥが当該ＵＥ自体の動作状態を調節し、例えば、サービング・グラントを低下させ、それにより、ＣＥＬＬ−ＦＡＣＨ状態またはアイドル状態のＵＥがアップリンク送信プロセスにおいて隣接セルに対して生じさせた干渉を減らす。このように、少なくとも１つの制御条件をさらに設定することにより、ＣＥＬＬ−ＦＡＣＨ状態またはアイドル状態のＵＥに対する制御粒度をさらに増大させて、監視条件を満たすＣＥＬＬ−ＦＡＣＨ状態またはアイドル状態の全てのＵＥのサービング・グラントが粗く変化することを回避し、それにより、隣接セル干渉を制御する必要があるセルの隣接セル内の全てのＵＥのスループット全体が過度に減少する状況および単一のＵＥの個々のスループットが過度に減少する状況を防いでもよい。
【００２０】
図１は、本発明の１実施形態に従う隣接セルのユーザ端末のサービング・グラントを制御するための方法を示す略流れ図である。図１に示すように、当該方法は、共通Ｅ−ＲＧＣＨチャネルを介して隣接セルのＣＥＬＬ−ＦＡＣＨ状態またはアイドル状態のＵＥを制御するために使用される。ＣＥＬＬ−ＦＡＣＨ状態またはアイドル状態のＵＥは、隣接セルの共通Ｅ−ＲＧＣＨチャネルを監視することによって制御指令を取得し、それにより、当該ＵＥのサービング・グラントを調節する。当該方法は、Ｓ１で少なくとも１つの制御条件をさらに設定するステップと、Ｓ２で当該ＵＥが当該少なくとも１つの制御条件を満たすかどうかを判定するステップと、Ｓ３で当該ＵＥが当該少なくとも１つの制御条件を満たすときには、取得した制御指令に基づいて当該ＵＥのサービング・グラントを調節するステップとを含む。
【００２１】
上述の方法はさらに、当該ＵＥが当該少なくとも１つの制御条件のうち１つまたは複数の制御条件を満たさないときには、対応する制御指令を共通Ｅ−ＲＧＣＨチャネルで監視しないようにＵＥを制御するステップを含む。
【００２２】
上述の方法はさらに、当該ＵＥが当該少なくとも１つの制御条件のうち１つまたは複数の制御条件を満たさないときには、取得した対応する制御指令を無視するようにＵＥを制御するステップを含む。
【００２３】
上述のように、一般に、ＵＥが属するセルの共通Ｅ−ＲＧＣＨチャネルを監視するための条件を当該ＵＥが満たすときには、当該ＵＥのサービング・グラントを調節するための制御指令を共通Ｅ−ＲＧＣＨチャネルから取得してもよい。しかし、当該ＵＥが属するセルの共通Ｅ−ＲＧＣＨチャネルを監視するための条件を当該ＵＥが満たさない場合も生ずる可能性がある。本発明の当該実施形態では、共通Ｅ−ＲＧＣＨチャネルを監視するための条件に加えて、１つまたは複数の制御条件がさらに設定され、したがって、共通Ｅ−ＲＧＣＨチャネルを監視するための条件を含む全ての条件をＵＥが満たすかどうかを判定することができ、共通Ｅ−ＲＧＣＨチャネルを監視するための条件と設定された制御条件の全てとをＵＥが満たすときにのみ、取得した制御指令に基づいてＵＥの動作状態を調節する。例えば、サービング・グラントを低下させる。それにより、ＵＥの制御粒度を高める。共通Ｅ−ＲＧＣＨチャネルを監視するための条件を含む全ての条件をＵＥが未だ満たしていないときには、２つの選択肢がありうる。１つ目は、ＵＥが共通Ｅ−ＲＧＣＨチャネルを全く監視できず、したがってＵＥは制御指令をすることができないことである。または、ＵＥは共通Ｅ−ＲＧＣＨチャネルを監視し続けて制御指令を取得することができ、当該制御指令が無視されるかどうかのみをＵＥの側で制御する。特定の状況では、ＵＥの側の特定の構成に従って調節を実施してもよく、本発明の当該実施形態はこれに関して何ら限定を課そうとするものではない。
【００２４】
上述の方法では、例えば、ＵＥの動作状態を、当該ＵＥのサービング・グラントを低下させることにより調節してもよい。上の説明では、隣接セル干渉を制御する目的を、当該ＵＥのアップリンク送信電力とサービング・グラントを制御することによって達成できることを既に述べた。現在の環境では、サービング・グラントを低下させることでアップリンク送信電力が或る程度減り、したがって、本発明の当該実施形態では、アップリンク送信における干渉を減らす目的がＳＧを低下させることで好適に達成される。明らかに、アップリンク送信における干渉をＵＥの動作状態を調節する別の方式で、例えばアップリンク送信電力を直接減らすことによって減らしてもよく、それにより隣接セル干渉の制御が実現され、本発明の当該実施形態はこれに関して何ら限定を課そうするものではないことは当業者には理解される。
【００２５】
上述の方法では、当該少なくとも１つの制御条件は当該ＵＥのサービング・グラント閾値であり、当該ＵＥが当該少なくとも１つの制御条件を満たすかどうかを判定するステップは特に、当該ＵＥのサービング・グラントが当該サービング・グラント閾値より高いかどうかを判定し、当該ＵＥのサービング・グラントが当該サービング・グラント閾値より高いときには、当該ＵＥが当該少なくとも１つの制御条件を満たすと判定するステップである。
【００２６】
本発明の当該実施形態では、少なくとも１つの制御条件がＳＧの閾値であってもよい。当該閾値を以下ではＳＧ閾値と称する。このように、ＣＥＬＬ−ＦＡＣＨ状態またはアイドル状態のＵＥが隣接セルの共通Ｅ−ＲＧＣＨチャネルを監視するとき、当該ＵＥは当該ＵＥのＳＧを設定されたＳＧ閾値と比較してもよく、当該ＵＥのＳＧが設定されたＳＧ閾値より小さいときには、当該ＵＥはもはや隣接セルの共通Ｅ−ＲＧＣＨチャネルによっては制御されない。例えば、当該ＵＥは共通Ｅ−ＲＧＣＨチャネルを監視せず、共通Ｅ−ＲＧＣＨチャネルの制御指令を無視しない。当該ＵＥのＳＧが設定されたＳＧ閾値より大きく、同時に、当該ＵＥが隣接セルの共通Ｅ−ＲＧＣＨチャネルを監視するための条件を満たすときにのみ、当該ＵＥは、隣接セルの共通Ｅ−ＲＧＣＨチャネルを監視することによって取得した制御指令に従って当該ＵＥの動作状態を調節し、例えばＳＧを低下させる。それにより、アップリンク送信における干渉を減らす。
【００２７】
ここで、当該ＵＥ自体のＳＧが当該ＵＥのスループットを決定し、したがって、当該ＵＥ自体のＳＧ閾値を設定することにより各端末ＵＥに特定のＳＧを維持させ、ＳＧが過度に低下しないようにしてもよい。即ち、上述の方法を使用した後には、ＣＥＬＬ−ＦＡＣＨ状態またはアイドル状態のＵＥのＳＧが特定の範囲まで低下した後に、ＵＥはもはや共通Ｅ−ＲＧＣＨチャネルが送信した制御指令に従わず、ＳＧをさらに低下させ、それによりＣＥＬＬ−ＦＡＣＨ状態またはアイドル状態のＵＥのスループットの過度な減少を回避する。また、制御された閾値を直接各ＵＥのＳＧに設定することによって、以上の効果をＳＧに対する直接的な制御を介して実現することができ、制御の精度が改善する。
【００２８】
上述の方法では、当該少なくとも１つの制御条件は当該共通Ｅ−ＲＧＣＨチャネルを監視するための複数の監視閾値であり、当該複数の監視閾値は第１の監視閾値を含み、当該第１の監視閾値は、ＣＥＬＬ−ＦＡＣＨ状態またはアイドル状態のＵＥが共通Ｅ−ＲＧＣＨチャネルを監視できるかどうかを判定するための監視閾値であり、当該ＵＥが当該少なくとも１つの制御条件を満たすかどうかを判定するステップは特に、当該ＵＥの測定結果が複数の監視閾値により制限された複数の範囲間隔のうちどの範囲間隔にあるかを判定し、当該ＵＥの測定結果が複数の監視閾値により制限された複数の範囲間隔のうち特定範囲間隔にあるときには、当該ＵＥが当該少なくとも１つの制御条件を満たすと判定するステップである。
【００２９】
上述の方法はさらに、複数の監視閾値により制限された複数の範囲間隔を共通Ｅ−ＲＧＣＨチャネルで複数の制御指令に１対１に対応させるステップをさらに含み、取得した制御指令に基づいて当該ＵＥのサービング・グラントを調節するステップは特に、当該特定範囲の間隔に対応する制御指令に基づいて当該ＵＥのサービング・グラントを調節するステップである。
【００３０】
上述の方法では、複数の監視閾値により制限された複数の範囲間隔を共通Ｅ−ＲＧＣＨチャネルで複数の制御指令と１対１に対応させるステップは特に、当該複数の監視閾値により制限された複数の範囲間隔を当該共通Ｅ−ＲＧＣＨチャネルで構成された複数の異なる署名と１対１に対応させるステップと、当該共通Ｅ−ＲＧＣＨチャネルで構成された当該複数の異なる署名を介して当該複数の制御指令を送信するステップとを含む。当該ＵＥの測定結果が当該複数の監視閾値により制限された複数の範囲間隔のうち１つに存在する場合には、当該ＵＥは、共通Ｅ−ＲＧＣＨチャネルで構成され当該特定範囲間隔に対応する署名を監視する。
【００３１】
上述の方法では、当該ＵＥの測定結果は、隣接セルの共通Ｅ−ＲＧＣＨチャネルを監視するかどうかをＵＥが判定するために使用され、経路損失差分、測定事象、およびＥｃＩｏのような測定値を含む。
【００３２】
具体的には、現在の状況では、ＵＥが共通Ｅ−ＲＧＣＨチャネルを監視するための条件、即ち、現在のセルと隣接セルの間の経路損失差分が一定の閾値より小さいとＵＥが検出するという上述の条件は既に設定されている。当該ＵＥは当該隣接セルのＣＰＩＣＨチャネルの測定結果が測定事象を報告するための閾値に到達したことを検出する。本発明の当該実施形態では、当該条件を第１の監視閾値と称する。さらに、本発明の当該実施形態における隣接セル干渉を制御するための方法では、１つまたは複数の新たな監視閾値、即ち、経路損失差分、測定事象、およびＥｃＩｏのような、隣接セルの共通Ｅ−ＲＧＣＨチャネルの監視を判定するための閾値をさらに設定してもよい。このように、第１の監視閾値がＵＥを２種類のＵＥ、即ち、共通Ｅ−ＲＧＣＨチャネルを監視できるＵＥと共通Ｅ−ＲＧＣＨチャネルを監視できないＵＥに分類することに加えて、新たな監視閾値を介して共通Ｅ−ＲＧＣＨチャネルを監視できるＵＥをさらに分類する。以上の説明を例とし、共通Ｅ−ＲＧＣＨチャネルを監視できるＵＥの経路損失差分がａより小さいという条件を満たす必要があり、当該経路損失差分の他の２つの閾値ｂおよびｃが設定され、ｃ＜ｂ＜ａであると仮定する。これらの３つの閾値ａ、ｂおよびｃは複数の範囲間隔を制限する。即ち、ｂより大きくａより小さいこと、ｃより大きくｂより小さいこと、およびｃより小さいことである。したがって、共通Ｅ−ＲＧＣＨチャネルの監視を満たすＵＥをさらに３種類に分類することができる。即ち、ｂより大きくａより小さい経路損失差分を有するものと、ｃより大きくｂより小さい経路損失差分を有するものと、ｃより小さい経路損失差分を有するものである。即ち、当該ＵＥの測定結果は、ｂより大きくａより小さい範囲間隔、ｃより大きくｂより小さい範囲間隔、およびｃより小さい範囲間隔に存在する。このように、一定の特定範囲、例えば、ｂより大きくａより小さい範囲にあるＵＥの動作状態のみを制御し調節し、例えばＳＧを低下させてもよく、それにより隣接セル干渉が減る。明らかに、ここで本発明の当該実施形態では幾つかの特定範囲のＵＥのＳＧを低下させてもよく、例えば、ｃより大きくｂより小さい範囲のＵＥのＳＧと、ｃより小さい範囲のＵＥのＳＧを同時に低下させてもよいことは当業者には理解される。
【００３３】
さらに、共通Ｅ−ＲＧＣＨチャネルの監視を満たすＵＥのさらなる分類に対応して、共通Ｅ−ＲＧＣＨチャネルの制御指令に関する分類をさらに設定してもよい。即ち、共通Ｅ−ＲＧＣＨチャネルの制御指令を、複数の監視閾値により制限されたＵＥの様々な範囲に対応させてもよい。同様に、上の例のように、測定結果がｂより大きくａより小さい範囲、ｃより大きくｂより小さい範囲、およびｃより小さい範囲にあるＵＥが、共通Ｅ−ＲＧＣＨチャネルの幾つかの範囲に対応する制御指令を取得してもよい。例えば、ｂより大きくａより小さい範囲内の監視閾値に対応して、ＳＧを低下させなくともよく、ｃより大きくｂより小さい範囲内の監視閾値に対応して、ＳＧを１レベルだけ低下させてもよく、ｃより小さい範囲内の監視閾値に対応して、ＳＧを２レベルだけ低下させてもよい。このように、様々な監視条件でＵＥに対して様々な制御指令を発行してＵＥの動作状態を制御することによって、制御の精度を明らかにさらに改善することができ、それにより、通信システムの全体効率が高まる。
【００３４】
具体的には、様々な制御指令とＵＥの様々な監視条件の間の対応関係を当該ＵＥの側で実装するか、または、共通Ｅ−ＲＧＣＨチャネルの側で実現してもよい。例えば、共通Ｅ−ＲＧＣＨチャネルが制御指令を発行したとき、複数の制御指令を同時に送信してもよく、それと同時に、各制御指令が対応する監視条件の識別子を保持する。このように、複数の制御指令を受信した後に、ＵＥは監視条件の識別子とＵＥの監視条件に基づいてマッチングを行って、制御指令の１つに選択的に応答してもよい。さらに、これをＵＥの側で実現してもよい。当該ＵＥは異なる監視条件を生成している。即ち、監視閾値の範囲は当該共通Ｅ−ＲＧＣＨチャネルで構成された当該複数の異なる署名と１対１に対応し、当該共通Ｅ−ＲＧＣＨチャネルは構成された複数の異なる署名を介して複数の制御指令を送信する。このように、共通Ｅ−ＲＧＣＨチャネルを監視するときに、ＵＥは複数の監視閾値により制限され測定結果が配置されている特定範囲に従って現在の指定された監視条件に対応する署名を選択してもよく、それにより、当該署名に対応する制御指令が取得される。
【００３５】
ここで、隣接セル干渉の状況に従って複数の制御指令が設定される。例えば、特定のＵＥがセルの中心に近づくほど、ＵＥの経路損失差分が大きくなり、ＵＥがセルの端に移動すると、ＵＥの経路損失差分は漸進的に減少する。しかし、ＵＥがセルの端に移動すると、ＵＥが隣接セルにもたらす干渉もそれに応じて高まる。したがって、本発明の当該実施形態では、ＵＥがセルの端に近いほど、ＳＧをより低下させるように設定してもよい。即ち、前述の状況のように、経路損失差分が小さい状況では、ＵＥのＳＧはより低下する。このように、対応する監視条件の閾値範囲を満たすＵＥのＳＧを制御することによって、ＵＥのＳＧの制御を最適化することができ、それにより、アップリンク送信におけるＵＥの干渉を最適に制御するという目的が達成される。
【００３６】
事象１Ａをトリガするための条件に測定結果が到達したかどうかに従って、隣接セルの共通Ｅ−ＲＧＣＨチャネルを監視するかどうかをＵＥが判定するときに、測定事象１Ａのトリガ条件に従って複数の監視閾値を設定してもよい。事象１Ａをトリガするための現在の条件は以下の式により決まる。測定項目が経路損失差分であるときには、当該トリガ条件は、
【００３７】
【数１】
0005811428.tif 000002
【００３８】
である。当該測定項目が経路損失差分以外の測定項目であるときには当該トリガ条件は、
【００３９】
【数２】
0005811428.tif 000003
【００４０】
である。ＭＮｅｗは測定報告範囲に入るセルの測定結果であり、ＣＩＯＮｅｗは測定報告範囲に入るセルのオフセットである。
【００４１】
Ｍｉは、アクティブなセットにおける報告範囲の計算に参加することを制限されないセルの測定結果であり、ＮＡは、現在のアクティブなセットにおける報告範囲の計算に参加することを制限されないセルの数であり、Ｗはネットワーク側がユーザ装置に送信するパラメータであり、Ｒ１ａは報告範囲定数であり、Ｈ１ａは事象１Ａのヒステリシス・パラメータである。
【００４２】
当該測定項目が経路損失差分である状況では、ＭＢｅｓｔは、どのセルのオフセットも考慮せずに、当該アクティブ・セットにおける報告範囲の計算に参加することを制限されないセルのうち測定結果が最も低いセルの測定結果である。
【００４３】
当該測定項目が経路損失差分以外の測定項目である状況では、ＭＢｅｓｔは、どのセルのオフセットも考慮せずに、当該アクティブ・セットにおける報告範囲の計算に参加することを制限されないセルのうち測定結果が最も高いセルの測定結果である。測定事象のトリガを計算するための上の式から、アクティブ・セットＭｉ、ＭＢｅｓｔにおける報告範囲の計算に参加することを制限されないセルの測定結果、測定報告範囲ＭＮｅｗに入るセルの測定結果、および構成されたパラメータＣＩＯＮｅｗ、Ｗ、Ｒ１ａ、およびＨ１ａによりトリガ条件が集合的に決定されることがわかる。現在、パラメータＣＩＯＮｅｗ、Ｗ、Ｒ１ａ、およびＨ１ａはネットワーク側で特定の値に構成されており、上の式によれば、ＵＥは当該測定結果に従って事象１Ａをトリガするための一意な閾値を取得することができ、それにより、隣接セルの共通Ｅ−ＲＧＣＨチャネルを監視するかどうかが判定される。パラメータＣＩＯＮｅｗ、Ｗ、Ｒ１ａおよびＨ１ａのうち１つまたは複数のパラメータに対して複数の異なる値の複数の対応するパラメータを構成することによって、事象１Ａをトリガするための複数の閾値、即ち、隣接セルの共通Ｅ−ＲＧＣＨチャネルを監視するための複数の監視閾値を上の式に従って取得することができる。例えば、ＣＩＯＮｅｗ１、ＣＩＯＮｅｗ２、およびＣＩＯＮｅｗ３のような複数の異なるＣＩＯＮｅｗパラメータをパラメータＣＩＯＮｅｗに対して構成してもよく、夫々の異なるＣＩＯＮｅｗパラメータにより、事象１Ａをトリガするための様々な閾値、即ち、隣接セルの共通Ｅ−ＲＧＣＨチャネルを監視するのを決定するための複数の監視閾値を決定する。
【００４４】
測定結果が定義された閾値Ｔに到達したかどうかに従って、隣接セルの共通Ｅ−ＲＧＣＨチャネルを監視するかどうかをＵＥが判定するときに、複数の閾値Ｔを定義することによって複数の監視閾値を実現してもよい。当該定義された閾値Ｔが、経路損失差分、ＣＰＩＣＨ  Ｅｃ／Ｎ０（共通パイロット・チャネル希望チップ・エネルギを帯域電力スペクトル密度で除したもの）、または、ＣＰＩＣＨ  ＲＳＣＰ（ＣＰＩＣＨ  Ｒｅｃｅｉｖｅｄ  Ｓｉｇｎａｌ  Ｃｏｄｅ  Ｐｏｗｅｒ；共通パイロット・チャネル希望波受信電力）であってもよい。例えば、Ｔ１、Ｔ２およびＴ３のような複数の閾値Ｔが定義され、夫々の異なる閾値Ｔは、隣接セルの共通Ｅ−ＲＧＣＨチャネルを監視するのを決定するための様々な監視閾値を決定する。
【００４５】
上述のように、１つの監視閾値のみを構成する状況では、隣接セル干渉が限界を超えたことが分かったときに、共通Ｅ−ＲＧＣＨチャネルを介して「低下」指令を送信する。この時点で、隣接セルにおいて、共通Ｅ−ＲＧＣＨチャネルの監視を満たすＣＥＬＬ−ＦＡＣＨ状態またはアイドル状態の全てのＵＥのＳＧを低下させる。しかし、実際には、干渉を制御する目的を、ＣＥＬＬ−ＦＡＣＨ状態またはアイドル状態のＵＥの一部のみの干渉を減らすことによって実現することができる。共通Ｅ−ＲＧＣＨチャネルを監視するための複数の閾値を構成することによって、隣接セルに干渉をもたらすＵＥを分類してもよく、共通Ｅ−ＲＧＣＨチャネルで構成された様々な制御指令を介して、ＣＥＬＬ−ＦＡＣＨ状態またはアイドル状態のＵＥの一部の干渉を制御する。隣接セル干渉を制御する目的が実現できる限り、本発明の当該実施形態は具体的な制御プロセスを不必要に限定しようとするものではないことは当業者には理解される。このように、全てのＵＥのＳＧの低下を回避することによって、ＣＥＬＬ−ＦＡＣＨ状態またはアイドル状態のＵＥのスループットの過度な減少を回避することができる。
【００４６】
さらに、ＳＧ閾値と監視閾値の条件を結合して使用してもよい。即ち、上述の方法では、当該少なくとも１つの制御条件がＵＥのサービング・グラント閾値および当該共通Ｅ−ＲＧＣＨチャネルを監視するための複数の監視閾値であってもよい。また、当該ＵＥが当該少なくとも１つの制御条件を満たすかどうかを判定するステップは特に、当該ＵＥのサービング・グラントが当該サービング・グラント閾値より高いかどうか、および、当該ＵＥの測定結果が当該複数の監視閾値により制限された複数の範囲のうちどの範囲にあるかを判定するステップである。当該ＵＥのサービング・グラントが当該サービング・グラント閾値より高く当該ＵＥの測定結果が当該複数の監視閾値により制限された特定範囲にあるときには、当該ＵＥは当該少なくとも１つの制御条件を満たす。
【００４７】
即ち、上のＳＧ閾値と複数の監視閾値を結合する例では、経路損失差分や測定結果のような、隣接セルの共通Ｅ−ＲＧＣＨチャネルを監視するのを決定するための複数の閾値を構成する状況において、当該ＳＧ閾値をさらに構成する。ここで、当該ＳＧ閾値は全ての監視条件における共通のＳＧ閾値であってもよく、または、各監視条件における夫々のＳＧ閾値であってもよい。測定された経路損失差分、測定結果等を構成された監視閾値とＵＥが比較するときに、特定の監視閾値の範囲を満たす場合には、当該ＵＥは隣接セルの共通Ｅ−ＲＧＣＨチャネルを監視して、対応する制御指令を取得する。同時に、当該ＵＥのＳＧが或るＳＧ閾値または監視閾値に対応する共通のＳＧ閾値より低いときには、経路損失差分や測定結果のような監視閾値を満たす状況において、当該ＵＥは、隣接セルの共通Ｅ−ＲＧＣＨチャネルを監視することによって取得した制御指令に従ってＵＥの動作状態を調節、例えば、ＳＧを低下させる。
【００４８】
同様に、ＳＧ閾値と監視閾値を別々に適用する上の例における説明を、その両方を結合する例に均等的に適用してもよい。また、隣接セル干渉を制御する目的を実現できる限り、本発明の当該実施形態は具体的な制御プロセスを不必要に限定しようとするものではないことは当業者には理解される。また、ＳＧ閾値と監視閾値を結合することによって、ＣＥＬＬ−ＦＡＣＨ状態またはアイドル状態のＵＥに対する段階的な制御を実現できるだけでなく、ＣＥＬＬ−ＦＡＣＨ状態またはアイドル状態のＵＥのＳＧの過度な減少が回避される。
【００４９】
本発明の当該実施形態の別の態様では、隣接セルのユーザ端末のサービング・グラントを制御するための装置を提供する。当該装置は、各セルの共通Ｅ−ＲＧＣＨチャネルを介して各隣接セルのＣＥＬＬ−ＦＡＣＨ状態またはアイドル状態のＵＥを制御するために使用される。ＣＥＬＬ−ＦＡＣＨ状態またはアイドル状態のＵＥは、当該ＵＥが属するセルの隣接セルの共通Ｅ−ＲＧＣＨチャネルを監視することによって制御指令を取得し、それにより当該ＵＥのサービング・グラントを調節する。当該装置は、少なくとも１つの制御条件をさらに設定するように構成された設定ユニットと、当該ＵＥが当該少なくとも１つの制御条件を満たすかどうかを判定するように構成された判定ユニットと、当該ＵＥが当該少なくとも１つの制御条件を満たすときには、取得した制御指令に基づいて当該ＵＥのサービング・グラントを調節するように構成された制御ユニットを備える。
【００５０】
隣接セルのユーザ端末のサービング・グラントを制御するための上述の装置により、隣接セルの共通Ｅ−ＲＧＣＨチャネルをＵＥが監視するための監視条件に加えて、１つまたは複数の制御条件をさらに設定してもよく、ＵＥが当該１つまたは複数の制御条件を満たすと判定された場合にのみ、当該ＵＥは取得した制御指令に基づいてＵＥの動作状態を調節し、それにより、ＣＥＬＬ−ＦＡＣＨ状態またはアイドル状態のＵＥがアップリンク送信プロセスにおいて隣接セルにもたらす干渉を減らす。このように、少なくとも１つの制御条件をさらに設定することによって、ＣＥＬＬ−ＦＡＣＨ状態またはアイドル状態のＵＥに対する制御粒度をさらに高め、監視条件を満たすＣＥＬＬ−ＦＡＣＨ状態またはアイドル状態の全てのＵＥの動作状態が粗く変化することを回避し、それにより、隣接セル干渉を制御する必要があるセルの隣接セル内の全てのＵＥのスループット全体が過度に減少する状況、および、単一のＵＥの個々のスループットが過度に減少する状況を防いでもよい。
【００５１】
図２は、本発明の１実施形態に従う隣接セルのユーザ端末のサービング・グラントを制御するための装置を示す略ブロック図である。図２に示すように、隣接セルのユーザ端末のサービング・グラントを制御するための装置１０は、各セルの共通Ｅ−ＲＧＣＨチャネルを介して各隣接セルのＣＥＬＬ−ＦＡＣＨ状態またはアイドル状態にあるＵＥを制御するために使用される。ＣＥＬＬ−ＦＡＣＨ状態またはアイドル状態のＵＥは、当該ＵＥが属するセルの隣接セルの共通Ｅ−ＲＧＣＨチャネルを監視することによって制御指令を取得し、それにより当該ＵＥのサービング・グラントを調節する。装置１０は、少なくとも１つの制御条件をさらに設定するように構成された設定ユニット１１と、設定ユニット１１に接続され当該ＵＥが当該少なくとも１つの制御条件を満たすかどうかを判定するように構成された判定ユニット１２と、判定ユニット１２に接続され当該ＵＥが当該少なくとも１つの制御条件を満たすときには、取得した制御指令に基づいて当該ＵＥのサービング・グラントを調節するように構成された制御ユニット１３と、を備える。
【００５２】
上述の装置では、当該制御ユニットはさらに、当該ＵＥが当該少なくとも１つの制御条件のうち１つまたは複数の制御条件を満たさないときには、当該共通Ｅ−ＲＧＣＨチャネルを監視しないように当該ＵＥを制御するように構成される。
【００５３】
上述の装置では、当該制御ユニットはさらに、当該ＵＥが当該少なくとも１つの制御条件のうち１つまたは複数の制御条件を満たさないときには、取得した制御指令を無視するように当該ＵＥを制御するように構成される。
【００５４】
上述の装置では、当該制御ユニットが、当該ＵＥのサービング・グラントを低下させることにより当該ＵＥの動作状態を調節する。
【００５５】
隣接セル干渉を制御するための上述の装置では、当該少なくとも１つの制御条件は当該ＵＥのサービング・グラント閾値であり、当該ＵＥが当該少なくとも１つの制御条件を満たすかどうかを当該判定ユニットが判定することは特に、当該ＵＥのサービング・グラントが当該サービング・グラント閾値より高いかどうかを判定するステップであり、当該ＵＥのサービング・グラントが当該サービング・グラント閾値より高いときには、当該判定ユニットが、当該ＵＥが当該少なくとも１つの制御条件を満たすと判定する。
【００５６】
上述の装置では、当該少なくとも１つの制御条件は共通Ｅ−ＲＧＣＨチャネルを監視するための複数の監視閾値であり、当該ＵＥが当該少なくとも１つの制御条件を満たすかどうかを当該判定ユニットが判定することは特に、当該ＵＥの測定結果が当該複数の監視閾値により制限された複数の範囲のどれにあるかを判定するステップであり、当該ＵＥの測定結果が当該複数の監視閾値により制限された特定範囲内にあるときには、当該ＵＥが当該少なくとも１つの制御条件を満たすと当該判定ユニットが判定する。
【００５７】
隣接セル干渉を制御するための上述の装置では、当該制御ユニットはさらに、当該複数の監視閾値により制限された複数の範囲を共通Ｅ−ＲＧＣＨチャネルでの複数の制御指令に１対１に対応させるように構成され、取得した制御指令に基づいて当該制御ユニットがＵＥの動作状態を調節するステップは特に、特定範囲に対応する制御指令に基づいてＵＥの動作状態を調節するステップである。
【００５８】
隣接セル干渉を制御するための上述の装置では、当該制御ユニットが当該複数の監視閾値により制限された複数の範囲を共通Ｅ−ＲＧＣＨチャネルの複数の制御指令と１対１に対応させるステップは特に、当該複数の監視閾値により制限された複数の範囲を当該共通Ｅ−ＲＧＣＨチャネルで構成された複数の異なる署名と１対１に対応させるステップと、当該共通Ｅ−ＲＧＣＨチャネルで構成された当該複数の異なる署名を介して複数の制御指令を受信するステップを含む。当該ＵＥの測定結果が当該複数の監視閾値により制限された特定範囲にあると当該判定ユニットが判定した場合には、当該制御ユニットは共通Ｅ−ＲＧＣＨチャネルで構成され特定範囲に対応する署名を監視するようにＵＥを制御する。
【００５９】
隣接セル干渉を制御するための上述の装置では、当該少なくとも１つの制御条件は当該ＵＥのサービング・グラント閾値および共通Ｅ−ＲＧＣＨチャネルを監視するための複数の監視閾値であり、当該ＵＥが当該少なくとも１つの制御条件を満たすかどうかを当該判定ユニットが判定することは特に、当該ＵＥのサービング・グラントが当該サービング・グラント閾値より高いかどうかおよび当該ＵＥの測定結果が当該複数の監視閾値により制限された複数の範囲のどれにあるかを判定するステップであり、当該ＵＥのサービング・グラントが当該サービング・グラント閾値より高く当該ＵＥの測定結果が当該複数の監視閾値により制限された特定範囲にあるときには、当該判定ユニットは当該ＵＥが当該少なくとも１つの制御条件を満たすと判定する。
【００６０】
上述の装置では、当該ＵＥの測定結果は、当該ＵＥが属するセルと当該隣接セルの間の経路損失差分、および、当該隣接セルのＣＰＩＣＨチャネルの測定結果が測定事象を報告するための閾値に到達したと当該ＵＥが検出したことのうち少なくとも１つを含む。
【００６１】
さらに、隣接セルのユーザ端末のサービング・グラントを制御するための上述の方法に関する説明の詳細を、隣接セルのユーザ端末のサービング・グラントを制御するための装置に均等に適用してもよい。これについては簡単のため繰り返し説明することはしない。
【００６２】
さらに、隣接セルのユーザ端末のサービング・グラントを制御するための上述の装置をユーザ装置の側で構成してもよく、または、基地局の側で構成してもよく、または、ＲＮＣの側で構成してもよく、隣接セルのユーザ装置の干渉を減らすように各ユーザ装置の動作状態を制御するために使用されることは当業者には理解される。さらに、完全にユーザ装置で構成する代わりに、隣接セルのユーザ端末のサービング・グラントを制御するための上述の装置を、ユーザ装置、基地局、およびＲＮＣで構成された通信システムに展開してもよい。例えば、隣接セル干渉を制御するための上述の装置の設定ユニットはＲＮＣにおいて設定され、その結果、各隣接セルの一次拡散符号および共通Ｅ−ＲＧＣＨのチャネル化符号を各ＵＥにブロードキャストすることに加えて、当該ＲＮＣはさらに少なくとも１つの制御条件を各ＵＥにブロードキャストし、当該判定ユニットはＵＥにおいて構成され、その結果、ＵＥは当該ＵＥの動作状態に基づいて、例えばＳＧ条件または監視条件を決定する。当該制御ユニットは各ＵＥの動作状態を制御するために基地局において構成される。明らかに、各ＵＥの動作状態を取得することによって判定を行うために、上述の設定ユニットをＵＥまたは基地局において設定してもよく、上述の判定ユニットを基地局またはＲＮＣにおいて設定してもよく、当該制御ユニットをＲＮＣまたはユーザ装置において設定してもよく、本発明の当該実施形態はこれに関して何ら限定を課そうするものではないことは当業者には理解される。
【００６３】
隣接セルのユーザ端末のサービング・グラントを制御するための方法と装置、本発明の諸実施形態に従うユーザ端末、基地局、無線ネットワーク・コントローラおよび通信システムにより、隣接セルのＣＥＬＬ−ＦＡＣＨ状態またはアイドル状態のＵＥに対して干渉制御を実施でき、同時に、当該ＵＥのスループットが過度に低下することを防ぐことができ、それにより通信性能が向上する。
【００６４】
本明細書で開示した実施形態で説明した例と組み合わせて、ユニットおよびアルゴリズムのステップを電子ハードウェア、コンピュータ・ソフトウェア、またはその２つの組合せにより実装してもよいことは当業者には理解される。ハードウェアとソフトウェアの互換性を分かり易く説明するために、以上では諸機能に従って全ての実施形態の構成とステップを一般的に説明した。当該機能をハードウェアまたはソフトウェアで実施するかどうかは当該技術的解決策の具体的な適用と設計上の制約条件に依存する。当業者は様々な方法を使用して、説明した機能を具体的な適用事例ごとに実装してもよいが、当該実装が本発明の範囲を超えるものと考えるべきではない。
【００６５】
説明の便宜および簡潔さのため、以上のシステム、装置、およびユニットの詳細な動作プロセスに関しては、以上の方法の実施形態における対応するプロセスを参照できることは当業者には理解され、その詳細はここでは再び説明することはしない。
【００６６】
本願で提供した幾つかの実施形態では、開示したシステム、装置、および方法を他の方式で実装してもよいことは理解される。例えば、説明した装置の実施形態は例にすぎない。例えば、ユニット分割は論理的な機能分割にすぎず、実際の実装では他の分割であってもよい。例えば、複数のユニットまたはコンポーネントを別のシステムに組み込むかもしくは統合してもよく、または、一部の機能を無視するかもしくは実施しなくともよい。さらに、表示または説明した相互結合または直接結合または通信接続を幾つかのインタフェースを介して実装してもよい。装置またはユニットの間の当該直接接続または通信接続を、電気、機械、または他の形態で実装してもよい。
【００６７】
別々の部分として説明したユニットが物理的に分離していてもしていなくてもよく、ユニットとして表示した部分が物理ユニットであってもなくてもよく、１つの場所に配置されていてもよく、複数のネットワーク・ユニットに分散していてもよい。当該ユニットの一部または全部を、実際のニーズに従って選択して、諸実施形態の解決策の目的を実現してもよい。
【００６８】
さらに、本発明の諸実施形態における機能ユニットを１つの処理ユニットに統合してもよく、当該ユニットの各々が物理的に単体で存在してもよく、または、複数のユニットが１つのユニットに統合される。統合されたユニットをハードウェアの形で実装してもよく、または、ソフトウェア機能ユニットの形で実装してもよい。
【００６９】
当該統合されたユニットをソフトウェア機能ユニットの形で実装するか独立な製品として販売もしくは使用するときには、当該統合されたユニットをコンピュータ可読記憶媒体に格納してもよい。かかる理解のもと、本発明の技術的解決策を本来的に、または、先行技術に貢献する部分を、または、当該技術的解決策の全部もしくは一部を、ソフトウェア製品の形で実装してもよい。当該コンピュータ・ソフトウェア製品は記憶媒体に格納され、本発明の諸実施形態で説明した方法のステップの全部または一部を実施するように（パーソナル・コンピュータ、サーバ、またはネットワーク装置でありうる）コンピュータ装置に指示するための幾つかの命令を含む。上記記憶媒体には、ＵＳＢフラッシュ・ディスク、取外し可能ハード・ディスク、読取り専用メモリ（ＲＯＭ；Ｒｅａｄ−Ｏｎｌｙ  Ｍｅｍｏｒｙ）、ランダム・アクセス・メモリ（ＲＡＭ；Ｒａｎｄｏｍ  Ａｃｃｅｓｓ  Ｍｅｍｏｒｙ）、磁気ディスク、または光ディスクのような、プログラム・コードを格納できる任意の媒体が含まれる。
【００７０】
以上の説明は本発明の具体的な諸実施形態にすぎず、本発明の保護範囲を限定しようとするものではない。本発明で開示した技術的範囲において当業者が容易に想到する任意の変形または置換えは本発明の保護範囲に入るものとする。したがって、本発明の保護範囲は特許請求の範囲の保護範囲によって支配される。
【図１】
0005811428.tif 000004
【図２】
0005811428.tif 000005